(57)【特許請求の範囲】
【請求項１】
前後一対の縦材（１）、（１）と、これらの縦材（１）、（１）間に架設された横架材とからなる枠体（Ａ）を横方向に複数列設し、隣り合う横架材（２）、（２）間にフック（１１）を介して足場板（３）を架設し、この足場板（３）の長手方向に沿う両側に巾木（４）を起立させる足場装置であって、上記巾木（４）が、巾木本体（５）と、この巾木本体（５）の下部に連設した水平または傾斜した隙間塞ぎ板（６）と、上記巾木本体（５）を上記横架材（２）の任意の位置に取り付けるための取付手段とを備え、
上記取付手段が、上記巾木本体（５）の外側面に回転自在に軸支された左右一対の第一、第二の取付片（７）、（８）と、これら第一、第二の取付片（７）、（８）の回転を阻止する回転阻止手段とで構成され、上記各取付片（７）、（８）を回転して当該各取付片（７）、（８）の下部を上記横架材（２）に圧接しながら上記各取付片（７）、（８）の回転を上記回転阻止手段で規制する足場装置において、
上記第一の取付片（７）が、ややくの字状に形成された取付片本体（７ａ）と、この取付片本体（７ａ）の下端側面に設けられて湾曲する保止片（７ｂ）とを備え、上記第一の取付片（７）の回転を規制する上記回転阻止手段が、上記取付片本体（７ａ）の上部側面に形成された溝（７ｃ）を備え、上記保止片（７ｂ）を上記横架材（２）に押し当てながら上記第一の取付片（７）を回転し、上記溝（７ｃ）に上記巾木本体（５）の外面に突設したピン（９）が嵌合されることにより、上記第一の取付片（７）の回転が阻止されることを特徴とする足場装置。
【請求項２】
前後一対の縦材（１）、（１）と、これらの縦材（１）、（１）間に架設された横架材とからなる枠体（Ａ）を横方向に複数列設し、隣り合う横架材（２）、（２）間にフック（１１）を介して足場板（３）を架設し、この足場板（３）の長手方向に沿う両側に巾木（４）を起立させる足場装置であって、上記巾木（４）が、巾木本体（５）と、この巾木本体（５）の下部に連設した水平または傾斜した隙間塞ぎ板（６）と、上記巾木本体（５）を上記横架材（２）の任意の位置に取り付けるための取付手段とを備え、
上記取付手段が、上記巾木本体（５）の外側面に回転自在に軸支された左右一対の第一、第二の取付片（７）、（８）と、これら第一、第二の取付片（７）、（８）の回転を阻止する回転阻止手段とで構成され、上記各取付片（７）、（８）を回転して当該各取付片（７）、（８）の下部を上記横架材（２）に圧接しながら上記各取付片（７）、（８）の回転を上記回転阻止手段で規制する足場装置において、
上記第二の取付片（８）が、ややくの字状に形成された取付片本体（８ａ）と、この取付片本体（８ａ）の下側側面に設けられて湾曲する保止片（８ｂ）とを備え、上記第二の取付片（８）の回転を規制する上記回転阻止手段が、上記巾木本体（５）の上部に回転自在に軸支された断面Ｕ字状のフレーム（１０ａ）と、このフレーム（１０ａ）の先端に延設されたつまみ片（１０ｂ）とを備え、上記第二の取付片（８）を回転して上記保止片（８ｂ）を上記横架材（２）に圧接した後に、上記フレーム（１０ａ）を回転して上記取付片本体（８ａ）の上部に嵌合されることにより、上記第二の取付片（８）の回転が阻止されることを特徴とする足場装置。
【請求項３】
上記隙間塞ぎ板（６）の先端に、上記足場板（３）の両端に位置するフック（１１）に引っ掛かるストッパ（６ａ）を備える請求項１または請求項２に記載の足場装置。
【発明の詳細な説明】
【技術分野】
【０００１】
本発明は、建築現場、土木工事で使用され、足場板の両側に形成されている隙間を塞ぐ隙間塞ぎ板を備えた枠組足場などの足場装置に関する。
【背景技術】
【０００２】
一般に建築現場、土木工事現場で使用される枠組足場などの足場装置は、縦材と横架材とからなる枠体を横方向に複数列設し、この枠体間に足場板と手摺とを架設している。
【０００３】
この場合、手摺と足場板の前後両側には隙間が長手方向に形成され、当該隙間から工具などの物体が落下する虞がある。
【０００４】
そこで、上記隙間を塞ぐため、上記足場板の前後両側に長手方向に沿って隙間塞ぎ板を備えた巾木を起立させてなる足場装置が開発されている（特許文献１）。
【０００５】
特許文献１に開示の足場装置においては、巾木はその両側背部に設けたジョイントを介して建材に結合される（同、図７）。
【０００６】
上記ジョイントは、断面コ字状のジョイント本体と、このジョイント本体を横方向に貫通する楔と、ブラケット本体上に起立する二つのピンとで構成されている。
【０００７】
そして、ジョイント本体を縦材に挿通して楔で締結し、次いで、巾木の両側に上下方向に貫通させて設けたピン孔に上記ブラケットの上記ピンを差し込むことにより、巾木はブラケットを介して足場板の前後両側に設置される。
【先行技術文献】
【特許文献】
【０００８】
【特許文献１】特開２００２−０８９０３２号  公報
【発明の概要】
【発明が解決しようとする課題】
【０００９】
上記従来の足場装置においては機能上特に欠陥はないが、次のような不具合があり、改善を求められている。
【００１０】
即ち、上記従来の足場装置においては、巾木を取り付けるためのブラケットが縦材に結合して設けられているため、巾木を前後方向に動かすことができない。
【００１１】
このため、作業者の通行や振動等により足場板が前後方向にずれて隙間塞ぎ板と足場板との間に隙間が生じた場合には、上記巾木を足場板に追従させて隙間を塞ぐことができず、足場板を前後方向にずらす必要がある。
【００１２】
また、巾木は足場板が架設された後に取り付けられるため、足場板の取付位置が前後方向にずれていると、足場板の位置にあわせて巾木を取り付けることができず、上記の場合と同様に足場板を前後方向にずらさなければならない。
【００１３】
そこで、本発明の目的は、足場板が前後方向にずれて隙間塞ぎ板と足場板との間に隙間が生じた場合や、足場板をずらして設置した場合においても、巾木の取付位置を変更することにより上記隙間をなくすことが可能な足場装置を提供することである。
【課題を解決するための手段】
【００１４】
上記課題を解決するための手段は、前後一対の縦材と、これらの縦材間に架設された横架材とからなる枠体を横方向に複数列設し、隣り合う横架材間にフックを介して足場板を架設し、この足場板の前後両側に長手方向に沿って巾木を起立させる足場装置であって、上記巾木が、巾木本体と、この巾木本体の下部に連設した水平または傾斜した隙間塞ぎ板と、上記巾木本体を上記横架材の任意の位置に取り付けるための取付手段とを備えることである。
【００１５】
そして、この構成にあって、上記取付手段が、上記巾木本体の外側面に回転自在に軸支された左右一対の第一、第二の取付片と、これら第一、第二の取付片の回転を阻止する回転阻止手段とで構成され、上記各取付片を回転して当該各取付片の下部を上記横架材に圧接しながら上記各取付片の回転を上記回転阻止手段で規制する構成とされることである。
【００１６】
ちなみに、上記隙間塞ぎ板の先端に、上記足場板の両端に位置するフックに引っ掛かるストッパを備えることが好ましい。
【００１７】
さらに、上記の構成において、上記第一の取付片が、ややくの字状に形成された取付片本体と、この取付片本体の下端側面に設けられて湾曲する保止片とを備え、上記取付片本体の上部側面に形成された溝を備え、上記保止片を上記横架材に押し当てながら上記第一の取付片を回転し、上記溝に上記巾木本体の外面に突設したピンを嵌合させることにより、上記第一の取付片の回転が阻止される構成とすることである。
【００１８】
同じく、上記第二の取付片が、ややくの字状に形成された取付片本体と、この取付片本体の下側側面に設けられて湾曲する保止片とを備え、上記第二の取付片の回転を規制する上記回転阻止手段が上記巾木本体の上部に回転自在に軸支された断面Ｕ字状のフレームと、このフレームの先端に延設されたつまみ片とを備え、上記第二の取付片を回転して上記保止片を上記横架材に圧接した後に、上記フレームを回転して上記取付片本体の上部に嵌合させることにより、上記第二の取付片の回転が阻止される構成とすることである。
【発明の効果】
【００１９】
請求項１および請求項２に記載した発明によれば、巾木が巾木本体を横架材の任意の位置に取り付けるための取付手段を備えることにより、足場板が前後方向にずれて隙間塞ぎ板と足場板との間に隙間が生じた場合や、足場板をずらして設置したにおいても、巾木の取付位置を横架材上の任意の位置に変更して、上記隙間をなくすことが可能となる。
【００２０】
また、上記巾木に取付手段が供えられていることから、巾木を設置するに際し、ブラケット等の取付部材を別に設ける必要がなく、従来技術と比較して作業性を向上することが可能となる。
【００２１】
そして、請求項１および請求項２に記載した発明によれば、各取付片の下部を横架材に圧接しながら回転阻止手段で各取付片の回転を規制して巾木を横架材に取り付けることから、横架材のどの位置に取付片を取り付けることも可能となり、横架材の任意の位置に各取付片を介して巾木本体を取り付けることが可能となる。
【００２２】
ちなみに、請求項３に記載した発明によれば、隙間塞ぎ板の先端にストッパを設けることにより、足場板がずれた場合においても上記ストッパが足場板のフックに引っ掛かり、足場板と隙間塞ぎ板との間に隙間が生じることを防ぐことが可能となる。
【００２３】
また、請求項１および請求項２に記載した発明によれば、第一、第二の取付片が湾曲する保止片を備えることにより、上記取付片を横架材に圧接しやすく、作業性を向上することが可能となる。
【００２４】
また、取付片と横架材との当接面積が大きいため、巾木をより確実に横架材に取り付けることが可能となり、ガタツキの発生を防ぐことも可能となる。
【００２５】
更には、取付片の構造が簡単であるため、安価且つ容易に製造可能となる。
【００２６】
請求項３に記載した発明によれば、フレームとつまみ片とからなる回転阻止手段を備えることにより、各取付片を横架材にそれぞれ圧接しながら各取付片の回転を阻止することが可能となり、巾木本体を横架材に固定することが容易に可能となる。
【００２７】
更には、巾木の位置を変更したい場合においても、フレームを回転して取付片本体の上部を開放するのみで巾木を移動することが可能となり、巾木の取付位置の調整が容易である。
【図面の簡単な説明】
【００２８】
【図１】本発明の一実施の形態を示す足場装置の斜視図である。
【図２】本発明の一実施の形態を示す足場装置の右部分拡大斜視図である。
【図３】本発明の一実施の形態を示す足場装置の左部分拡大斜視図である。
【図４】本発明の一実施の形態を示す足場装置の背面図である。
【図５】本発明の一実施の形態を示す足場装置の右側面図である。
【図６】本発明の一実施の形態を示す足場装置の左側面図である。
【発明を実施するための形態】
【００２９】
以下、本発明の一実施の形態の足場装置について、図面を参照して説明する。いくつかの図面を通して付された同じ数字は、同じ部品か又はそれに対応する部品を示す。
【００３０】
本発明に係る足場装置は、前後一対の縦材１、１と、これらの縦材１、１間に架設された横架材２とからなり横方向に複数列設された枠体Ａと、隣り合う横架材２、２間にフック１１を介して架設された足場板３と、この足場板３の前後両側に長手方向に沿って起立させた巾木４とからなる。
【００３１】
そして、上記巾木４は、巾木本体５と、この巾木本体５の下部に連設されて傾斜する隙間塞ぎ板６と、上記巾木本体５を上記横架材２の任意の位置に取り付けるための取付手段とで構成される。
【００３２】
上記巾木４が巾木本体５を横架材２の任意の位置に取り付けるための取付手段を備えることにより、足場板３が前後方向にずれて隙間塞ぎ板６と足場板３との間に隙間が生じた場合や、足場板３をずらして設置した場合においても、巾木４の取付位置を横架材２上の任意の位置に変更して、上記隙間をなくすことが可能となる。
【００３３】
また、上記巾木４に取付手段が供えられていることから、巾木４を設置するに際し、従来のブラケット等の取付部材を別に設ける必要がなく、従来技術と比較して作業性を向上することが可能となる。
【００３４】
以下に、本発明に係る足場装置の各構成部品について、詳細に説明する。
【００３５】
上記巾木４は、上述したように、巾木本体５と、この巾木本体５の下部に連設されて傾斜する隙間塞ぎ板６と、上記巾木本体５を上記横架材２の任意の位置に取り付けるための取付手段とで構成される。
【００３６】
そして、上記巾木本体５は、その上端部が長手方向に沿って内側に折り曲げられて断面コ字状に形成される曲げ部５ａを有してなり、当該構成を備えることにより、巾木本体５の強度を増すことが可能となる。
【００３７】
尚、上記曲げ部５ａは、必ずしも設ける必要はなく、リブ等を設けることにより強度を増すとしても、巾木本体５の材質や厚さを変更することにより強度を持たせるとしても良い。
【００３８】
また、上記隙間塞ぎ板６は、図中に示すように、巾木本体５の下部に連設されて斜め下方に向けて傾斜することにより、足場板３から隙間塞ぎ板６の先端が浮き上がらず隙間を塞ぐことが可能であるが、この限りではなく、巾木本体５の下部に水平に設けられるとしても、巾木本体５の下部に回転自在に設けられるとしても良い。
【００３９】
そして、上記隙間塞ぎ板６は、足場板３の両端に位置するフック１１に引っ掛かるストッパ６ａを備えてなる。
【００４０】
当該構成を備えることにより、足場板３がずれた場合においても上記ストッパ６ａが上記フック１１に引っ掛かり、足場板３と隙間塞ぎ板６との間に隙間が生じることを防ぐことが可能となる。
【００４１】
上記ストッパ６ａは、隙間塞ぎ板６の先端部を長手方向に沿って折り畳み、当該折り畳み部（符示せず）の略中央部を垂直に折り曲げて断面Ｌ字状に形成されてなる。
【００４２】
従って、ストッパ６ａの強度を増し、ストッパ６ａとフック１１との係合状態を確実に維持することが可能となるがこの限りではなく、当該構成に替えて、隙間塞ぎ板６の左右に位置する先端部のみにストッパを設け、上記効果を達成することとしても良い。
【００４３】
上記巾木本体５を上記横架材２の任意の位置に取り付けるための取付手段は、上記巾木本体５の外側面に回転自在に軸支された左右一対の第一、第二の取付片７、８と、これら第一、第二の取付片７、８の回転を阻止する回転阻止手段とで構成され、上記各取付片７、８を回転して当該各取付片７、８の下部を上記横架材２に圧接しながら上記各取付片７、８の回転を上記回転阻止手段で規制する。
【００４４】
上記各取付片７、８の下部を上記横架材２に圧接しながら回転阻止手段で上記各取付片７、８の回転を規制して巾木４を横架材２に取り付けることから、横架材２のどの位置に取付片７、８を取り付けることも可能となり、横架材２の任意の位置に各取付片７、８を介して巾木本体５を取り付けることが可能となる。
【００４５】
上記第一の取付片７は、巾木本体５の背面左側に設けられ、図２に示すように、ややくの字状に形成された取付片本体７ａと、この取付片本体７ａの下端側面に設けられて湾曲する保止片７ｂと、上記取付片本体７ａ上部側面に形成された溝７ｃとで構成されてなる。
【００４６】
そして、上記保止片７ｂを上記横架材２に押し当てながら上記第一の取付片７を回転し、上記溝７ｃに上記巾木本体５の外面に突設したピン９が嵌合されることにより、上記第一の取付片７の回転が阻止される。
【００４７】
上記保止片７ａを備えることにより、上記第一の取付片７を横架材２に圧接しやすく、作業性を向上することが可能となる。
【００４８】
また、第一の取付片７と横架材２との当接面積が大きいため、巾木４をより確実に横架材２に取り付けることが可能となり、ガタツキの発生を防ぐことも可能となる。
【００４９】
更には、上記取付片本体７ａの図中左側面にはリブ（符示せず）が起立して設けられ、当該リブを備えることにより、取付片本体７ａの強度を増し、取付片本体７ａの強度を保つために肉厚に形成する必要がなく、取付片本体７ａを安価に製造可能であるが、この限りではなく、取付片本体７ａの構成及び形状を適宜選択することが可能である。
【００５０】
尚、図１から図３には、取付片本体７ａをボルト（符示せず）とナット（符示せず）とからなる回転ピン７ｄで軸支することにより、第一の取付片７を回転可能としているが、この限りではなく、他の方法によって回転するとしても良い。
【００５１】
また、上記ピン９の構成も図示する限りではなく、保止片７ｂを横架材に圧接したときに、取付片７の図２中反時計回り方向への回転を阻止することが可能である範囲でピンの位置、形状等を適宜選択することが可能である。
【００５２】
上記第二の取付片８は、図３に示すように、巾木本体５の背面右側に設けられ、ややくの字状に形成された取付片本体８ａと、この取付片本体８ａの下側側面に設けられて湾曲する保止片８ｂとで構成されてなり、上記回転阻止手段が巾木本体５の上部に回転自在に軸支された断面Ｕ字状のフレーム１０ａと、このフレーム１０ａの先端に延設されたつまみ片１０ｂとからなる。
【００５３】
そして、上記第二の取付片８を回転して上記保止片８ｂを上記横架材２に圧接した後に、上記フレーム１０ａを図３中時計回りに回転して上記取付片本体８ａの上部に嵌合させることにより、上記第二の取付片８の保止片８ｂを横架材２に押し当てながら第二の取付片８の回転が阻止される。
【００５４】
上記フレーム１０ａとつまみ片１０ｂとからなる回転阻止手段を備えることにより、各取付片７、８を横架材２、２にそれぞれ圧接しながら各取付片７、８の回転を阻止することが可能となり、巾木本体５を横架材２に固定することが容易に可能となる。
【００５５】
更には、巾木４の位置を変更したい場合においても、上記フレーム１０ａを図３中反時計回りに回転して上記取付片本体８ａの上部を開放するのみで巾木４を移動することが可能となり、巾木４の取付位置の調整が容易である。
【００５６】
尚、上記回転阻止手段の構成が、上記フレーム１０ａとつまみ片１０ｂとからなることにより、回転阻止手段の構成が簡単で、第二の取付片８の回転を確実に阻止することができるが、この限りではなく、保止片８ｂを横架材２に圧接した状態を維持することが可能な限りにおいて、適宜構成を選択することが可能である。
【００５７】
例えば、図示しないが、上記フレーム１０ａを回転可能なフックとして当該フックを上記取付片本体８ａの上部に係合させて、第二の取付片８の回転を阻止するとしても良い。
【００５８】
また、上記保止片８ａを備えることにより、上記第一の取付片７における保止片７ａを備える場合と同様に、上記第二の取付片８を横架材２に圧接しやすく、作業性を向上することが可能となる。
【００５９】
同じく、上記構成を備えることにより、第二の取付片８と横架材２との当接面積が大きいため、巾木４をより確実に横架材２に取り付けることが可能となり、ガタツキの発生を防ぐことも可能となる。
【００６０】
更には、上記第一の取付片７と同じく、上記取付片本体８ａの図中左側面にはリブ（符示せず）が起立して設けられ、当該リブを備えることにより、取付片本体８ａの強度を増し、取付片本体８ａの強度を保つために肉厚に形成する必要がなく、取付片本体８ａを安価に製造可能であるが、この限りではなく、取付片本体８ａの構成及び形状を適宜選択することが可能である。
【００６１】
尚、図１から図３には、取付片本体８ａをボルト（符示せず）とナット（符示せず）とからなる回転ピン８ｄで軸支することにより、取付片８を回転可能としているが、この限りではなく、他の方法によって回転するとしても良い。
【００６２】
本発明に係る足場装置において、上記第一、第二の取付片７、８の構成を備えることにより、取付手段の構造が簡単であるため、取付手段を安価且つ容易に製造可能となる。
次に、本発明に係る上記足場装置の動作について説明する。
【００６３】
先ず、前後一対の縦材１、１と、これらの縦材１、１間に架設された横架材２とからなる枠体Ａを横方向に複数列設し、隣り合う横架材２、２間にフック１１を介して足場板３を架設する。
【００６４】
次いで、巾木４の図４中左側に位置する取付片７の保止片７ｂを同じく図４中左側に位置する横架材２に押し当てながら、溝７ｃがピン９に嵌合するまで取付片７を図４中反時計回りに回転する。
【００６５】
次いで、上記の図４中左側の横架材２に取付片７を圧接した状態を維持しながら、巾木４の図４中右側に位置する取付片８を反時計回りに回転し、上記保止片８ｂを図４中右側に位置する横架材２に圧接した後に、上記フレーム１０ａを時計回りに回転して上記取付片本体８ａの上部に嵌合させる。
【００６６】
以上、本発明の好ましい実施の形態を詳細に説明したが、特許請求の範囲から逸脱することなく改造、変形及び変更を行うことができることは理解すべきである。
【００６７】
例えば、本実施の形態においては、巾木本体５の背面左側に第一の取付片７を、巾木本体５の背面右側に第二の取付片８を設けた状態を示しているが、第一の取付片７を右側に、第二の取付片８を左側に設けるとしても良いことは勿論である。
【符号の説明】
【００６８】
１  縦材
２  横架材
３  足場板
４  巾木
５  巾木本体
６  隙間塞ぎ板
７  第一の取付片
７ａ  取付片本体
７ｂ  保止片
７ｃ  溝
８  第二の取付片
８ａ  取付片本体
８ｂ  保止片
９  ピン
１０ａ  フレーム
１０ｂ  つまみ片
【図１】
0005390957.tif 000002
【図２】
0005390957.tif 000003
【図３】
0005390957.tif 000004
【図４】
0005390957.tif 000005
【図５】
0005390957.tif 000006
【図６】
0005390957.tif 000007